(57)【要約】【課題】少ない材料使用量により被梱包物の保護性を向上させることが可能な緩衝材を提供すること。【解決手段】底面部１の相対する一組の二辺の立ち上がり部の左右を延長し、左右の延長部５、６を左右の延長部の間の立ち上がり部３側から左右の延長部５、６端部方向に設けた折り線１１、１２で更に折り返し、折り返し部が残りの折り返される部分より長く、折り返される部分より折り返し部が立ち上がり方向に飛び出る構成とし、残り一組の二辺の立ち上がり部２、４を底面部１に向かって折り返すことによって左右の延長部５、６を挟み込むことにより、左右の延長部の折り返し部先端１３、１４が挟み込まれた時の固定部となり連結された立ち上がり部の連結を確実なものにすることが可能となるので、材料の使用量低減を図りつつ、被梱包物の保護機能も向上することができる。【選択図】図１
2007055613.tif 000002
【特許請求の範囲】
【請求項１】
略長方形の板状の周囲を折り曲げ立ち上がり部とし、前記立ち上がり部で囲まれた平面の底面部を形成し、前記底面部の相対する一組の二辺の立ち上がり部の左右を延長し、残り一組の二辺の立ち上がり部を前記底面部に向かって折り返すことによって前記左右の延長部を挟み込み立ち上がり部を連結したトレイ状の外枠を形成し、挟み込まれる前記左右の延長部の延長部根元にある折り線上に切断部を設け、前記左右の延長部の間の立ち上がり部側から前記左右の延長部端部方向に設けた折り線で更に折り返し、前記折り返し部が残りの折り返される部分より長く、前記折り返される部分より前記折り返し部が立ち上がり方向に飛び出る構成としたことを特徴とする緩衝材。
【請求項２】
略長方形の板状の周囲を折り曲げ立ち上がり部とし、前記立ち上がり部で囲まれた平面の底面部を形成し、前記底面部の相対する一組の二辺の立ち上がり部の左右を延長し、残り一組の二辺の立ち上がり部を前記底面部に向かって折り返すことによって前記左右の延長部を挟み込み立ち上がり部を連結したトレイ状の外枠を形成し、挟み込まれる前記左右の延長部の間の立ち上がり部側から前記左右の延長部端部方向に設けた折り線を、前記左右の延長部端部側に向けて勾配を付けた斜めの折り線として折り返し、前記折り返し部が、前記折り返される部分より立ち上がり方向に飛び出る構成としたことを特徴とする緩衝材。
【請求項３】
略長方形の板状の周囲を折り曲げ立ち上がり部とし、前記立ち上がり部で囲まれた平面の底面部を形成し、前記底面部の相対する一組の二辺の立ち上がり部の左右を延長し、残り一組の二辺の立ち上がり部を前記底面部に向かって折り返すことによって前記左右の延長部を挟み込み立ち上がり部を連結したトレイ状の外枠を形成し、挟み込まれる前記左右の延長部の中央に、前記左右の延長部の間の立ち上がり部側から前記左右の延長部端部方向の一辺を折り線とした舌状の切り込みを設け、前記舌状の切り込みを折り返すことにより、前記舌状の切り込み部先端が前記左右の延長部端面より立ち上がり方向に飛び出る構成としたことを特徴とする緩衝材。
【請求項４】
トレイ状の外枠の三辺のみを立ち上がり部とし、中央の立ち上がり部の左右延長部を、残り一組の二辺の立ち上がり部を底面部に向かって折り返すことによって挟み込み立ち上がり部を連結し、一方を開口部としたトレイ状の外枠を形成したことを特徴とする請求項１〜３のいずれか１項に記載の緩衝材。
【発明の詳細な説明】
【技術分野】
【０００１】
本発明は、被梱包物を側面から支持し被梱包物の梱包に使用する緩衝材に関するものである。
【背景技術】
【０００２】
従来、この種の緩衝材は底面部の対向する二辺から相対する一組の立ち上がり部を起立させ、底面部の対向する他の二辺から相対する一組の立ち上がり部を起立させ、隣接する立ち上がり部同士を互いに連結して上面を開口した箱体を形成している（例えば、特許文献１参照）。
【０００３】
図５は、特許文献１に記載された従来の緩衝材の組立状態の斜視図を示すものである。図５に示すように、底面部と、底面部の対向する二辺から起立した相対する一組の立ち上がり部ａ・ｂと、底面部の対向する他の二辺から起立した相対する一組の立ち上がり部ｃ・ｄから構成されている。
【０００４】
この立ち上がり部ａ・ｂのそれぞれ左右延長部を、残り二辺の立ち上がり部ｃ・ｄを底面部に向かって折り返すことにより挟み込み、立ち上がり部を連結した構成となっている。
【特許文献１】特開２００２−３０２１１８号公報
【発明の開示】
【発明が解決しようとする課題】
【０００５】
しかしながら、前記従来の構成では、挟み込まれる立ち上がり部の左右延長部の高さを、挟み込む立ち上がり部の内寸と同一にすることにより、立ち上がり部の固定を確実に行いトレイ状が容易に崩れないように形成することが可能となるが、立ち上がり部の高さを全て同等の高さに設定する必要があり材料使用量が多くなる。また、挟み込まれる立ち上がり部の左右延長部の肉厚を厚くすることが困難であり材料使用量も増えると共に加工も複雑という課題を有していた。
【０００６】
本発明は、前記従来の課題を解決するもので、少ない材料使用量でトレイ形状を容易に構成し、被梱包物の保護機能に優れた緩衝材を提供することを目的とする。
【課題を解決するための手段】
【０００７】
前記従来の課題を解決するために、本発明の緩衝材は、平面の底面部の相対する一組の二辺の立ち上がり部の左右の延長部を、残り一組の二辺の立ち上がり部を底面部に向かって折り返すことによって挟み込み、挟み込まれる左右の延長部の延長部根元にある折り線上の底面部側に切断部を設け、左右の延長部の間の立ち上がり部側から左右の延長部端部方向に設けた折り線で更に折り返し、折り返し部が残りの折り返される部分より長く、折り返される部分より折り返し部が立ち上がり方向に飛び出る構成としたものである。
【０００８】
これによって、立ち上がり部の高さを全て同等の高さに設定しなくても、挟み込まれる左右の延長部の折り返し部の高さを、挟み込む立ち上がり部の内寸と同一にすることができるので立ち上がり部の固定を確実に行い、また折り返しによって左右延長部の肉厚を厚くすることができる。
【発明の効果】
【０００９】
本発明の緩衝材は、少ない材料使用量でトレイ形状を容易に構成し、被梱包物の保護機
能に優れた緩衝材を提供することができる。
【発明を実施するための最良の形態】
【００１０】
第１の発明は略長方形の板状の周囲を折り曲げ立ち上がり部とし、立ち上がり部で囲まれた平面の底面部の相対する一組の二辺の立ち上がり部の左右を延長し、残り一組の二辺の立ち上がり部を底面部に向かって折り返すことによって左右の延長部を挟み込み立ち上がり部を連結したトレイ状の外枠を形成し、挟み込まれる左右の延長部の延長部根元にある折り線上に切断部を設け、左右の延長部の間の立ち上がり部側から左右の延長部端部方向に設けた折り線で更に折り返し、折り返し部が残りの折り返される部分より長く、折り返される部分より折り返し部が立ち上がり方向に飛び出る構成とすることにより、左右の延長部の折り返し部先端が挟み込まれた時の固定部となり連結された立ち上がり部の連結を確実なものにすることが可能となり、立ち上がり部の高さを全て同等の高さに設定しなくても、挟み込まれる左右の延長部の折り返し部の高さを、挟み込む立ち上がり部の内寸と同等にすることができるので緩衝材を構成する材料の展開面積を削減し使用量低減が図りつつ立ち上がり部の固定を確実に行い、また折り返し二重構造によって左右延長部の肉厚を厚くすることが、被梱包物の保護機能も向上することができる。
【００１１】
第２の発明は、特に、第１の発明の挟み込まれる左右の延長部の間の立ち上がり部側から左右の延長部端部方向に設けた折り線を、左右の延長部端部側に向けて勾配を付けた斜めの折り線として折り返し、折り返し部が残りの折り返される部分より長く、立ち上がり方向に飛び出る構成とすることにより、立ち上がり部の連結を確実にしながら緩衝材を構成する材料の展開面積を削減し使用量低減が図れると共に、挟み込まれる延長部を斜めに折り返すことにより延長部根元の強度を向上させながら延長部の肉厚を増し被梱包物の保護機能を向上させることができる。
【００１２】
第３の発明は、特に、第１の発明の挟み込まれる左右の延長部の中央に、左右の延長部の間の立ち上がり部側から左右の延長部端部方向の一辺を折り線とした舌状の切り込みを設け、舌状の切り込みを折り返すことにより、舌状の切り込み部先端が立ち上がり方向に飛び出る構成とすることにより、立ち上がり部の連結を確実にしながら緩衝材を構成する材料の展開面積を削減し使用量低減が図れると共に、挟み込まれる延長部を部分的にニ重構造とし被梱包物の形状に合わせた複雑な指示面を形成することができる。
【００１３】
第４の発明は、特に、第１〜３のいずれか１つの発明のトレイ状の外枠の三辺のみを立ち上がり部とし、中央の立ち上がり部の左右延長部を、残り一組の二辺の立ち上がり部を底面部に向かって折り返すことによって挟み込み立ち上がり部を連結し、一方を開口部したトレイ状の外枠を形成することにより、片側を開口した状態でもトレイ状を形成する立ち上がり部が確実に連結され、材料使用量の低減を図ることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における緩衝材の（ａ）は組立状態の斜視図、（ｂ）は組立途中の斜視図、図２は、本発明の第１の実施の形態における緩衝材の展開図を示すものである。
【００１６】
図１（ａ）、（ｂ）、図２において、略長方形の板状の底面１の周囲の内、三辺を折り曲げ立ち上がり部２、３、４を設ける。この立ち上がり部の内、中央の立ち上がり部３の左右を延長し、舌状の延長部５、６を設ける。
【００１７】
左右の延長部５、６の延長部根元にある折り線上の底面１に近い側に切断部１７、１８を設け、中央の立ち上がり部３側から左右の延長部５、６の端部方向に設けた折り線１１、１２で更に折り返し、折り返し部が残りの折り返される部分より長く、折り返される部分より折り返し部先端部１３、１４が立ち上がり方向に飛び出る構成となっている。
【００１８】
残り一組の二辺の立ち上がり部２、４を底面部１に向かって折り返すことによって、挟み込まれた左右の延長部５、６の飛び出した折り返し部先端部１３、１４が、立ち上がり部２、４の内面に当たり延長部５、６の固定が可能となり立ち上がり部２、３、４が連結され、一面に開口部９を設けたトレイ状の外枠を形成した緩衝材１０が構成される。
【００１９】
以上のように構成された緩衝材について、以下その動作、作用を説明する。
【００２０】
まず、中央の立ち上がり部の左右の延長部の折り返し部先端が挟み込まれた時の固定部となり、連結された立ち上がり部の連結を確実にし、挟み込まれる延長部の高さ及び中央の立ち上がり部を、挟み込む側の立ち上がり部の内寸と同等にする必要が無く、中央の立ち上がり部及び延長部自体の高さを低くすることができ、緩衝材を構成する材料の展開面積を削減し使用量低減を図ることができる。
【００２１】
また、挟み込まれる延長部を折り返し二重構造とすることで緩衝材支持部となる折り返し部の肉厚を増すことが可能で、被梱包物の保護機能も向上する。
【００２２】
以上のように、本実施の形態においては、挟み込まれる中央の立ち上がり部の左右の延長部を折り返し、折り返し部先端が飛び出して、底面から折り返し部先端までの高さを、挟み込む側の残り一組の二辺の立ち上がり部の内寸と同等とすることにより、中央の立ち上がり部及び左右の延長部自体の高さを低くすることができ、緩衝材を構成する材料の展開面積を削減し使用量低減を図ることができ、また挟み込まれる延長部を折り返し二重構造とすることで緩衝材支持部となる折り返し部の肉厚を増すことが可能で、被梱包物の保護機能も向上することができる。
【００２３】
（実施の形態２）
図３は、本発明の第２の実施の形態の緩衝材の展開図を示すものである。
【００２４】
図３において、付す符号は実施の形態１と共通のものは同じものを示しており、本実施の形態では、第１の実施の形態の挟み込まれる中央の立ち上がり部３側から左右の延長部５、６端部方向に設けた折り線１１、１２を、左右の延長部５、６端部側に向けて勾配を付けた斜めの折り線１９、２０としたものである。
【００２５】
この斜めの折り線を折り返すことにより、折り返される部分より立ち上がり方向に折り返し部先端が飛び出して、底面から折り返し部先端までの高さを、挟み込む側の残り一組の二辺の立ち上がり部の内寸と同等とすることにより、中央の立ち上がり部及び左右の延長部自体の高さを低くすることができ、緩衝材を構成する材料の展開面積を削減し使用量低減を図ることができ、また挟み込まれる延長部を斜めに折り返し二重構造とすることで、延長部根元の強度を向上させながら緩衝材支持部となる折り返し部の肉厚を増すことが可能で、被梱包物の保護機能も向上することができる。
【００２６】
（実施の形態３）
図４は、本発明の第３の実施の形態の緩衝材の展開図を示すものである。
【００２７】
図４において、付す符号は実施の形態１と共通のものは同じものを示しており、本実施の形態では、第１の実施の形態の挟み込まれる中央の立ち上がり部３側から左右の延長部
５、６端部方向に設けた折り線１１、１２を設けず、挟み込まれる左右の延長部５、６の中央に、中央の立ち上がり部３側から左右の延長部５、６端部方向の一辺を折り線とした舌状の切り込み１５、１６を設けたものである。
【００２８】
この舌状の切り込み１５、１６を折り返すことにより、舌状の切り込み部１５、１６の先端が左右の延長部５、６の端面より飛び出して、底面から舌状の切り込み部先端までの高さを、挟み込む側の残り一組の二辺の立ち上がり部の内寸と同等とすることにより、中央の立ち上がり部及び左右の延長部自体の高さを低くすることができ、緩衝材を構成する材料の展開面積を削減し使用量低減を図ることができ、また挟み込まれる延長部を舌状の切り込みの折り返しにより部分的に二重構造とし被梱包物の形状に合わせた複雑な指示面を形成することが可能となり、被梱包物の保護機能も向上することができる。
【産業上の利用可能性】
【００２９】
以上のように、本発明にかかる緩衝材は、トレイ状を形成する立ち上がり部の延長部に折り線を設けたことで、少ない材料使用量により被梱包物の保護性に優れた緩衝材であり、外箱などの用途にも適用できる。
【図面の簡単な説明】
【００３０】
【図１】本発明の実施の形態１における緩衝材の（ａ）は組立状態の斜視図（ｂ）は組立途中の斜視図
【図２】本発明の実施の形態１における緩衝材の展開図
【図３】本発明の実施の形態２における緩衝材の展開図
【図４】本発明の実施の形態３における緩衝材の展開図
【図５】従来の緩衝材の組立状態の斜視図
【符号の説明】
【００３１】
１  底面
２、３、４  立ち上がり部
５、６  延長部
７、８  折り線
９  開口部
１０  緩衝材
１１、１２  延長部に設けた折り線
１３、１４  延長部の折り返した先端部
１５、１６  延長部に設けた舌状の切り込み部
１７、１８  延長部根元の切断部
１９、２０  延長部に設けた斜めの折り線
【図２】
2007055613.tif 000003
【図３】
2007055613.tif 000004
【図４】
2007055613.tif 000005
【図５】
2007055613.tif 000006
【図１】
2007055613.tif 000007